(57)【要約】【課題】保存後のインクにおいても、吐出安定性に優れ、光学濃度が高く、耐オゾン性に優れた画像を記録可能な水性インクを提供する。【解決手段】色材及び界面活性剤を含有するインクジェット用の水性インクである。色材が、下記一般式（Ｉ）で表される化合物を含み、界面活性剤が、グリフィン法により求められるＨＬＢ値が１２．９以上のポリオキシエチレンアルキルエーテルを含む。2016204448.tif 000016【選択図】なし【特許請求の範囲】
【請求項１】
色材及び界面活性剤を含有するインクジェット用の水性インクであって、
前記色材が、下記一般式（Ｉ）で表される化合物を含み、
前記界面活性剤が、グリフィン法により求められるＨＬＢ値が１２．９以上のポリオキシエチレンアルキルエーテルを含むことを特徴とする水性インク。
2016204448.tif 000014
（前記一般式（Ｉ）中、Ｒ1及びＲ3は、それぞれ独立に、水素原子、ハロゲン原子、シアノ基、ヒドロキシ基、カルボン酸基、スルホン酸基、ホスホン酸基、スルファモイル基、Ｎ−アルキルアミノスルホニル基、炭素数１乃至４のアルキルスルホニル基（ヒドロキシ基で置換されていてもよい）、ニトロ基、アシル基、ウレイド基、炭素数１乃至４のアルキル基（ヒドロキシ基又は炭素数１乃至４のアルコキシ基で置換されていてもよい）、炭素数１乃至４のアルコキシ基（アルキル部分は、ヒドロキシ基、炭素数１乃至４のアルコキシ基、スルホン酸基、又はカルボン酸基で置換されていてもよい）、アシルアミノ基、又はアルキルスルホニルアミノ基を表し、Ｒ2は、水素原子又はスルホン酸基を表し、ｎは、０又は１を表し、Ｍは、それぞれ独立に、水素原子、アルカリ金属、アンモニウム、又は有機アンモニウムを表す）
【請求項２】
前記一般式（Ｉ）で表される化合物が、下記一般式（II）で表される化合物である請求項１に記載の水性インク。
2016204448.tif 000015
（前記一般式（II）中、Ｍは、それぞれ独立に、水素原子、アルカリ金属、アンモニウム、又は有機アンモニウムを表す）
【請求項３】
前記ポリオキシエチレンアルキルエーテルの含有量が、インク全質量を基準として、０．１０質量％以上１．００質量％以下である請求項１又は２に記載の水性インク。
【請求項４】
インクと、前記インクを収容するインク収容部とを備えたインクカートリッジであって、
前記インクが、請求項１乃至３のいずれか１項に記載の水性インクであることを特徴とするインクカートリッジ。
【請求項５】
インクをインクジェット方式の記録ヘッドから吐出して記録媒体に画像を記録するインクジェット記録方法であって、
前記インクが、請求項１乃至３のいずれか１項に記載の水性インクであることを特徴とするインクジェット記録方法。
【発明の詳細な説明】
【技術分野】
【０００１】
本発明は、水性インク、インクカートリッジ、及びインクジェット記録方法に関する。
【背景技術】
【０００２】
インクジェット記録方法は、インク小滴を記録媒体に付与して画像を形成する記録方法であり、その低価格化、記録速度の向上により、急速に普及が進んでいる。一般に、インクジェット記録方法で得られた記録物は、銀塩写真と比較してその画像の堅牢性が低い。特に、記録物が、光、湿度、熱、空気中に存在するオゾンガスなどの環境ガスに長時間さらされた際に、記録物の色材が劣化し、画像の色調変化や褪色が発生しやすいなどの問題がある。
【０００３】
ブラック色材を含有するインク（ブラックインク）を用いて記録した画像の褪色は、色材の劣化による色調の変化を伴うことが多い。また、ブラックインクはモノクロ画像及びフルカラー画像の両方に使用され、近年では光沢紙のみならず普通紙を用いた場合にも高い光学濃度を有する画像を記録可能であることが求められている。また、近年は様々な使用期間の観点から、インクを長期間の保存後も問題なく使用できることが求められており、インクの保存安定性への要求が高まっている。
【０００４】
ブラック色材については、分子構造のポリアゾ化が広く検討されている。例えば、電子吸引性基を有するテトラキスアゾ化合物、及び３つのナフタレン環を有するテトラキスアゾ化合物、及び含窒素ヘテロ環を有するテトラキスアゾ化合物に関する提案がある（特許文献１及び２参照）。
【先行技術文献】
【特許文献】
【０００５】
【特許文献１】国際公開第２００６／０５１８５０号
【特許文献２】国際公開第２００５／１０８５０２号
【発明の概要】
【発明が解決しようとする課題】
【０００６】
本発明者らは、画像の耐オゾン性と普通紙における発色性を高めるために、特許文献１に開示された色材について検討した。その結果、本発明者らは、特許文献１に開示された色材の一部では、記録された画像の耐オゾン性と普通紙における発色性は所望のレベルを満足しうるものの、保存後のインクの吐出安定性が低下するという別の課題が発生することを見出した。
【０００７】
したがって、本発明の目的は、保存後のインクの吐出安定性に優れると共に、光学濃度が高く、耐オゾン性に優れた画像を記録可能な水性インクを提供することにある。また、本発明の別の目的は、前記水性インクを用いたインクカートリッジ、及びインクジェット記録方法を提供することにある。
【課題を解決するための手段】
【０００８】
上記の目的は以下の本発明によって達成される。すなわち、本発明によれば、色材及び界面活性剤を含有するインクジェット用の水性インクであって、前記色材が、下記一般式（Ｉ）で表される化合物を含み、前記界面活性剤が、グリフィン法により求められるＨＬＢ値が１２．９以上のポリオキシエチレンアルキルエーテルを含むことを特徴とする水性インクが提供される。
【０００９】
2016204448.tif 000002
（前記一般式（Ｉ）中、Ｒ1及びＲ3は、それぞれ独立に、水素原子、ハロゲン原子、シアノ基、ヒドロキシ基、カルボン酸基、スルホン酸基、ホスホン酸基、スルファモイル基、Ｎ−アルキルアミノスルホニル基、炭素数１乃至４のアルキルスルホニル基（ヒドロキシ基で置換されていてもよい）、ニトロ基、アシル基、ウレイド基、炭素数１乃至４のアルキル基（ヒドロキシ基又は炭素数１乃至４のアルコキシ基で置換されていてもよい）、炭素数１乃至４のアルコキシ基（アルキル部分は、ヒドロキシ基、炭素数１乃至４のアルコキシ基、スルホン酸基、又はカルボン酸基で置換されていてもよい）、アシルアミノ基、又はアルキルスルホニルアミノ基を表し、Ｒ2は、水素原子又はスルホン酸基を表し、ｎは、０又は１を表し、Ｍは、それぞれ独立に、水素原子、アルカリ金属、アンモニウム、又は有機アンモニウムを表す）
【発明の効果】
【００１０】
本発明によれば、保存後のインクの吐出安定性に優れると共に、光学濃度が高く、耐オゾン性に優れた画像を記録可能な水性インクを提供することができる。また、本発明によれば、この水性インクを用いたインクカートリッジ、及びインクジェット記録方法を提供することができる。
【図面の簡単な説明】
【００１１】
【図１】本発明のインクカートリッジの一実施形態を模式的に示す断面図である。
【図２】本発明のインクジェット記録方法に用いられるインクジェット記録装置の一例を模式的に示す図であり、（ａ）はインクジェット記録装置の主要部の斜視図、（ｂ）はヘッドカートリッジの斜視図である。
【発明を実施するための形態】
【００１２】
以下に、好ましい実施の形態を挙げて、さらに本発明を詳細に説明する。なお、本発明においては、化合物が塩である場合は、インク中では塩はイオンに解離して存在しているが、便宜上、「塩を含有する」と表現する。また、インクジェット用の水性インクのことを、単に「インク」と記載することがある。
【００１３】
ブラック色材の分子構造と画像の光学濃度とは、以下のような関係を有すると考えられる。一般的に、可視光領域（概ね３８０ｎｍ以上８３０ｎｍ以下）における光の反射率が低い画像は光学濃度が高く認識されやすい。また、ＣＩＥ（国際照明委員会）により規定された「標準明所分光視感効率曲線」にあるように、人間が最も明るく感じる、すなわち光学濃度が低く感じる波長は、５５５ｎｍ付近である。すなわち、画像の光学濃度を高めるためには、可視光領域のなかでも、特に５５５ｎｍ付近の光の反射率が低い、すなわち、５５５ｎｍ付近の吸収特性の高いブラック色材を用いることが重要である。特許文献１で提案された電子吸引性基を有するテトラキスアゾ化合物の最大吸収波長は、５７０ｎｍ付近である。一方、特許文献２で提案された３つのナフタレン環を有するテトラキスアゾ化合物の最大吸収波長は、６４０ｎｍ付近までシフトしている。このため、一般式（Ｉ）で表される化合物（電子吸引性基を有するテトラキスアゾ化合物）を用いると、他のテトラキスアゾ化合物を用いた場合と比べて、より光学濃度の高い画像を記録することができると考えられる。
【００１４】
普通紙などの記録媒体では色材（染料）が記録媒体の表面近傍に留まりにくいため、画像の光学濃度が低く見えやすい。このため、普通紙などの記録媒体に記録した画像の光学濃度の向上には、色材そのものの発色性の向上が重要である。また、光沢紙などの記録媒体では、記録した画像が長期間保存されることが多いため、画像の耐オゾン性の向上が重要である。ブラック色材である一般式（Ｉ）で表される化合物を含有するインクを用いれば、耐オゾン性及び光学濃度に優れた画像を記録することができる。しかし、本発明者らが、一般式（Ｉ）で表される化合物を含有するインクを用いて記録した画像、及びインクの信頼性について検討したところ、上述したように、保存後のインクを用いると、吐出安定性の低下が発生することが判明した。
【００１５】
一般式（Ｉ）で表される化合物は、分子の平面性が高く分子同士が凝集し易いと考えられる。そのため、長期間にわたってインク状態で保存された場合には、分子同士の凝集が加速され、その結果、記録ヘッドのインク流路やフィルターなどに凝集物が溜まる。この凝集物の影響により、インクの吐出安定性の低下が発生すると本発明者らは考えている。
【００１６】
このような状況の下、本発明者らは、所定期間保存した後であっても、一般式（Ｉ）で表される化合物を含有するインクの吐出安定性を向上させるための検討を行った。その結果、界面活性剤として、グリフィン法によるＨＬＢ値が１２．９以上のポリオキシエチレンアルキルエーテルを用いた場合には、吐出安定性の低下が抑制されることが判明した。本発明者らはこの理由を以下のように推測している。
【００１７】
ポリオキシエチレンアルキルエーテルは直鎖構造を有しているため、他種の界面活性剤と比較して平面構造をとりやすい。そのため、一般式（Ｉ）で表される化合物同士が凝集する前に、その化合物の分子間にポリオキシエチレンアルキルエーテルが侵入し易いと考えられる。その結果、一般式（Ｉ）で表される化合物同士が凝集することを抑制しているものと推測される。これに加えて、ポリオキシエチレンアルキルエーテルのＨＬＢ値が１２．９以上であり親水性が高いため、一般式（Ｉ）で表される化合物を水になじませる作用を発揮すると考えられる。
【００１８】
これまでに述べてきたように、一般式（Ｉ）で表される化合物の構造に対して、使用する界面活性剤の構造とＨＬＢ値の双方が重要である。本発明では、ＨＬＢ値が１２．９以上のポリオキシエチレンアルキルエーテルを使用することで、保存後においても吐出安定性に優れ、光学濃度が高く、耐オゾン性に優れた高品質な画像を記録可能なインクを得ることができる。
【００１９】
＜インク＞
本発明のインクジェット用の水性インクは、色材及び界面活性剤を含有する。以下、本発明のインクを構成する成分やインクの物性について詳細に説明する。
【００２０】
（色材）
本発明のインクジェット用の水性インクは、下記一般式（Ｉ）で表される化合物を含む色材（染料）を含有する。
【００２１】
2016204448.tif 000003
【００２２】
一般式（Ｉ）中、Ｒ1及びＲ3は、それぞれ独立に、水素原子、ハロゲン原子、シアノ基、ヒドロキシ基、カルボン酸基、スルホン酸基、ホスホン酸基、スルファモイル基、Ｎ−アルキルアミノスルホニル基、炭素数１乃至４のアルキルスルホニル基（ヒドロキシ基で置換されていてもよい）、ニトロ基、アシル基、ウレイド基、炭素数１乃至４のアルキル基（ヒドロキシ基又は炭素数１乃至４のアルコキシ基で置換されていてもよい）、炭素数１乃至４のアルコキシ基（アルキル部分は、ヒドロキシ基、炭素数１乃至４のアルコキシ基、スルホン酸基、又はカルボン酸基で置換されていてもよい）、アシルアミノ基、又はアルキルスルホニルアミノ基を表す。
【００２３】
ハロゲン原子としては、フッ素原子、塩素原子、臭素原子、ヨウ素原子などを挙げることができる。
【００２４】
Ｎ−アルキルアミノスルホニル基中のアルキル部分の炭素数は、１乃至４であることが好ましい。Ｎ−アルキルアミノスルホニル基としては、Ｎ−メチルアミノスルホニル基、Ｎ−エチルアミノスルホニル基、Ｎ−（ｎ−ブチル）アミノスルホニル基、Ｎ，Ｎ−ジメチルアミノスルホニル基、Ｎ，Ｎ−ジ（ｎ−プロピル）アミノスルホニル基などを挙げることができる。
【００２５】
アルキルスルホニル基には、置換又は無置換のアルキルスルホニル基が含まれる。アルキルスルホニル基中のアルキル基の炭素数は、１乃至４であることが好ましい。また、置換基としてはヒドロキシ基を挙げることができる。アルキルスルホニル基としては、メチルスルホニル、エチルスルホニル、プロピルスルホニル、ブチルスルホニルなどの無置換アルキルスルホニル基；ヒドロキシエチルスルホニル、２−ヒドロキシプロピルスルホニルなどの置換アルキルスルホニル基などを挙げることができる。
【００２６】
アシル基には、脂肪族アシル基が含まれる。アシル基中のアルキル部分の炭素数は、１乃至４であることが好ましい。アシル基としては、アセチル、プロピオニル、ブチリル、イソブチリルなどを挙げることができる。
【００２７】
ヒドロキシ基又は炭素数１乃至４のアルコキシ基で置換されていてもよい、炭素数１乃至４のアルキル基には、置換又は無置換のアルキル基、及び直鎖又は分岐鎖のアルキル基が含まれる。ここで、炭素数１乃至４のアルキル基における炭素数は、無置換の場合の炭素数をいう。したがって、炭素数１乃至４のアルコキシ基で置換された炭素数１乃至４のアルキル基としては、その基全体で炭素数が４を超えていてもよい。アルキル基としては、メチル、エチル、ｎ−プロピル、イソプロピル、ｎ−ブチル、イソブチル、ｓｅｃ−ブチル、ｔｅｒｔ−ブチルなどの無置換アルキル基；２−ヒドロキシエチル、２−ヒドロキシプロピル、３−ヒドロキシプロピル、メトキシエチル、２−エトキシエチル、ｎ−プロポキシエチル、イソプロポキシエチル、ｎ−ブトキシエチル、メトキシプロピル、エトキシプロピル、ｎ−プロポキシプロピル、イソプロポキシブチル、ｎ−プロポキシブチルなどの置換アルキル基などを挙げることができる。
【００２８】
炭素数１乃至４のアルコキシ基には、置換又は無置換のアルコキシ基が含まれ、アルコキシ基中のアルキル部分は、ヒドロキシ基、炭素数１乃至４のアルコキシ基、スルホン酸基、又はカルボン酸基で置換されていてもよい。ここで、炭素数１乃至４のアルコキシ基における炭素数は、無置換の場合の炭素数をいう。したがって、アルコキシ基中のアルキル部分が置換された炭素数１乃至４のアルコキシ基としては、その基全体で炭素数が４を超えていてもよい。アルコキシ基としては、メトキシ、エトキシ、ｎ−プロポキシ、イソプロポキシ、ｎ−ブトキシ、ｓｅｃ−ブトキシ、ｔｅｒｔ−ブトキシなどの無置換アルコキシ基；２−ヒドロキシエトキシ、２−ヒドロキシプロポキシ、３−ヒドロキシプロポキシ、メトキシエトキシ、エトキシエトキシ、ｎ−プロポキシエトキシ、イソプロポキシエトキシ、ｎ−ブトキシエトキシ、メトキシプロポキシ、エトキシプロポキシ、ｎ−プロポキシプロポキシ、イソプロポキシブトキシ、ｎ−プロポキシブトキシ、２−ヒドロキシエトキシエトキシ、カルボキシメトキシ、２−カルボキシエトキシ、３−カルボキシプロポキシ、３−スルホプロポキシ、４−スルホブトキシなどの置換アルコキシ基などを挙げることができる。
【００２９】
アシルアミノ基には、脂肪族アシルアミノ基が含まれる。アシルアミノ基中のアルキルの炭素数は、１乃至４であることが好ましい。アシル基としては、アセチルアミノ、プロピオニルアミノ、ブチリルアミノ、イソブチリルアミノなどを挙げることができる。
【００３０】
アルキルスルホニルアミノ基の炭素数は１乃至４であることが好ましい。アルキルスルホニルアミノ基としては、メチルスルホニルアミノ、エチルスルホニルアミノ、プロピルスルホニルアミノなどを挙げることができる。
【００３１】
一般式（Ｉ）中、Ｒ2は、水素原子又はスルホン酸基を表す。
【００３２】
一般式（Ｉ）中、ｎは、０又は１を表す。ｎが０である場合、一般式（Ｉ）中の該当する位置にスルホン酸基が結合しておらず、代わりに水素原子が結合していることを意味する。
【００３３】
一般式（Ｉ）中、Ｍは、それぞれ独立に、水素原子、アルカリ金属、アンモニウム、又は有機アンモニウムを表す。アルカリ金属としては、リチウム、ナトリウム、カリウムなどを挙げることができる。有機アンモニウムとしては、メチルアミン、エチルアミンなどの炭素数１以上３以下のアルキルアミン類；モノエタノールアミン、ジエタノールアミン、トリエタノールアミン、モノイソプロパノールアミン、ジイソプロパノールアミン、トリイソプロパノールアミンなどの炭素数１以上４以下のモノ、ジ又はトリアルカノールアミン類などを挙げることができる。本発明においては、一般式（Ｉ）中のＭが、いずれもナトリウムであることが好ましい。
【００３４】
上記のカルボン酸基、スルホン酸基、及びホスホン酸基は、遊離酸型（Ｈ型）であってもよく、塩型であってもよい。カルボン酸基などが塩型である場合（塩を形成する場合）のカウンターイオンとしては、アルカリ金属、アンモニウム、有機アンモニウムのカチオンを挙げることができる。
【００３５】
一般式（Ｉ）中、Ｒ1、Ｒ2及びＲ3はスルホン酸基であることがより好ましい。また、一般式（Ｉ）中、ｎは１であることがより好ましい。
【００３６】
一般式（Ｉ）で表される化合物は、下記一般式（II）で表される化合物であることが好ましい。
【００３７】
2016204448.tif 000004
【００３８】
一般式（II）中、Ｍは、それぞれ独立に、水素原子、アルカリ金属、アンモニウム、又は有機アンモニウムを表す。一般式（II）中のＭの具体例は、前述の一般式（Ｉ）中のＭの具体例と同様である。
【００３９】
一般式（Ｉ）で表される化合物の好適例を遊離酸型で表すと、以下に示す例示化合物１乃至４を挙げることができる。勿論、本発明においては、一般式（Ｉ）の構造及びその定義に包含されるものであれば、一般式（Ｉ）で表される化合物は以下に示す例示化合物に限定されない。本発明においては、以下に示す例示化合物のなかでも例示化合物１及び３がより好ましく、例示化合物１がさらに好ましい。
【００４０】
2016204448.tif 000005
【００４１】
インク中の一般式（Ｉ）で表される化合物の含有量（質量％）は、インク全質量を基準として、０．１質量％以上１０．０質量％以下であることが好ましく、１．０質量％以上６．０質量％以下であることがさらに好ましい。
【００４２】
なお、本発明のインクには、本発明の目的を損なわない限りにおいて、色材として、一般式（Ｉ）で表される化合物のほかに、一般式（Ｉ）で表される化合物以外の染料や顔料が含まれていてもよい。
【００４３】
（界面活性剤）
本発明のインクは、グリフィン法により求められるＨＬＢ値が１２．９以上のポリオキシエチレンアルキルエーテルを含む界面活性剤を含有する。本発明のインクは、ＨＬＢ値が１２．９以上のポリオキシエチレンアルキルエーテルと、前記一般式（Ｉ）で表される化合物とを含むことを特徴とする。このため、そのインクを数日さらには数週間などの長期間（例えば１６８時間（一週間）、３３６時間（二週間））保存した後においても、吐出安定性の低下が抑制され、光学濃度が高く、耐オゾン性に優れた画像を得ることができる。
【００４４】
グリフィン法により求められるＨＬＢ値の上限は後述する通り２０．０であり、本発明のインクに使用可能なポリオキシエチレンアルキルエーテルのＨＬＢ値の上限も２０．０である。
【００４５】
グリフィン法によるＨＬＢ値は、界面活性剤（ポリオキシエチレンアルキルエーテル）の親水性基（エチレンオキサイド基）の式量と、界面活性剤（ポリオキシエチレンアルキルエーテル）の分子量とから、下記式（１）により算出される。ＨＬＢ値は、界面活性剤の親水性や親油性の程度を、０．０から２０．０の範囲で示すものである。ＨＬＢ値が低いほど界面活性剤（ポリオキシエチレンアルキルエーテル）の親油性（疎水性）が高いことを示す。一方、ＨＬＢ値が高いほど界面活性剤（ポリオキシエチレンアルキルエーテル）の親水性が高いことを示す。
【００４６】
2016204448.tif 000006
【００４７】
ポリオキシエチレンアルキルエーテルは、Ｒ−Ｏ−（ＣＨ2ＣＨ2Ｏ）nＨで表される構造を有する。この構造式中、Ｒは炭化水素基を表し、ｎは正の整数を表す。疎水性基であるＲで表される炭化水素基の炭素数は、例えば８乃至２０が好ましく、より好ましくは１０乃至１８、さらに好ましくは１２乃至１６である。なお、炭化水素基は、不飽和の炭素結合を有していてもよいが、飽和炭化水素基であることが好ましい。また、炭化水素基は、分岐鎖を有していてもよいが、直鎖構造を有することが好ましい。Ｒで表される炭化水素基としては、例えば、セチル基、ラウリル基、パルミトレイル基、ステアリル基、オレイル基、リノレイル基、ミリストレイル基などを挙げることができる。
【００４８】
ポリオキシエチレンアルキルエーテルを表す前記構造式中、親水性基であるエチレンオキサイド基の数（付加モル数）ｎは、特に限定されず、Ｒの種類とＨＬＢ値との関係から決定すればよい。本発明では、ｎは、例えば２以上１００以下が好ましく、より好ましくは４以上５０以下、さらに好ましくは８以上３０以下である。
【００４９】
ＨＬＢ値１２．９以上のポリオキシエチレンアルキルエーテルとして、ポリオキシエチレンラウリルエーテル、ポリオキシエチレンセチルエーテル、又はポリオキシエチレンオレイルエーテルを用いることが好ましい。なかでも、ポリオキシエチレンラウリルエーテル、又はポリオキシエチレンセチルエーテルがより好ましい。
【００５０】
ポリオキシエチレンアルキルエーテルの含有量は、インク全質量を基準として、０．０１質量％以上２．００質量％以下が好ましく、より好ましくは０．０２質量％以上１．５０質量％以下である。さらに好ましくは０．１０質量％以上１．００質量％以下である。ポリオキシエチレンアルキルエーテルの含有量が０．１０質量％未満であると、吐出安定性の低下を抑制する効果がやや弱まる場合があり、１．００質量％を超えると、インクの表面張力が下がり過ぎて画像の光学濃度がやや低下する場合がある。
ポリオキシエチレンアルキルエーテルの含有量（質量％）は、一般式（Ｉ）で表される化合物の含有量（質量％）に対する質量基準で、０．０１倍以上０．５０倍以下であることが好ましく、０．０２倍以上０．２０倍以下であることがより好ましい。
【００５１】
なお、本発明のインクには、本発明の目的を損なわない限りにおいて、ポリオキシエチレンアルキルエーテルのほかに、ポリオキシエチレンアルキルエーテル以外の界面活性剤が含まれていてもよい。
【００５２】
（水性媒体）
本発明のインクは、水性媒体として少なくとも水を含有する、水性のインクである。本発明のインクには、水、又は水及び水溶性有機溶剤の混合溶媒である水性媒体を用いることができる。水として、脱イオン水（イオン交換水）を用いることが好ましい。インク中の水の含有量（質量％）は、インク全質量を基準として、１０．０質量％以上９０．０質量％以下であることが好ましい。
【００５３】
水溶性有機溶剤は、水溶性であれば特に制限はなく、アルコール、多価アルコール、ポリグリコール、グリコールエーテル、含窒素極性溶媒、含硫黄極性溶媒などを用いることができる。インク中の水溶性有機溶剤の含有量（質量％）は、インク全質量を基準として、５．０質量％以上９０．０質量％以下、さらには１０．０質量％以上５０．０質量％以下であることが好ましい。水溶性有機溶剤の含有量が上記した範囲を外れると、高いレベルのインクの吐出安定性が十分に得られない場合がある。
【００５４】
（その他の添加剤）
本発明のインクは、前述の各成分以外にも必要に応じて、ｐＨ調整剤、防錆剤、防腐剤、防黴剤、酸化防止剤、還元防止剤、蒸発促進剤、キレート化剤、及び水溶性樹脂など、種々の添加剤を含有してもよい。
【００５５】
（インクの物性）
本発明においては、インクの２５℃における粘度は、１．０ｍＰａ・ｓ以上５．０ｍＰａ・ｓ以下であることが好ましく、１．０ｍＰａ・ｓ以上３．５ｍＰａ・ｓ以下であることがより好ましい。また、インクの２５℃における静的表面張力が、２８ｍＮ／ｍ以上４５ｍＮ／ｍ以下であることが好ましい。さらに、インクの２５℃におけるｐＨは、５以上９以下であることが好ましい。
【００５６】
＜インクカートリッジ＞
本発明のインクカートリッジは、インクと、このインクを収容するインク収容部とを備える。そして、このインク収容部に収容されているインクが、上記で説明した本発明のインクである。図１は、本発明のインクカートリッジの一実施形態を模式的に示す断面図である。図１に示すように、インクカートリッジの底面には、記録ヘッドにインクを供給するためのインク供給口１２が設けられている。インクカートリッジの内部はインクを収容するためのインク収容部となっている。インク収容部は、インク収容室１４と、吸収体収容室１６とで構成されており、これらは連通口１８を介して連通している。また、吸収体収容室１６はインク供給口１２に連通している。インク収容室１４には液体のインク２０が収容されており、吸収体収容室１６には、インクを含浸状態で保持する吸収体２２及び２４が収容されている。インク収容部は、液体のインクを収容するインク収容室を持たず、収容されるインク全量を吸収体により保持する形態であってもよい。また、インク収容部は、吸収体を持たず、インクの全量を液体の状態で収容する形態であってもよい。さらには、インク収容部と記録ヘッドとを有するように構成された形態のインクカートリッジとしてもよい。
【００５７】
＜インクジェット記録方法＞
本発明のインクジェット記録方法は、上記で説明した本発明のインクをインクジェット方式の記録ヘッドから吐出して記録媒体に画像を記録する方法である。インクを吐出する方式としては、インクに力学的エネルギーを付与する方式や、インクに熱エネルギーを付与する方式が挙げられる。本発明においては、インクに熱エネルギーを付与してインクを吐出する方式を採用することが特に好ましい。本発明のインクを用いること以外、インクジェット記録方法の工程は公知のものとすればよい。
【００５８】
図２は、本発明のインクジェット記録方法に用いられるインクジェット記録装置の一例を模式的に示す図であり、（ａ）はインクジェット記録装置の主要部の斜視図、（ｂ）はヘッドカートリッジの斜視図である。インクジェット記録装置には、記録媒体３２を搬送する搬送手段（不図示）、及びキャリッジシャフト３４が設けられている。キャリッジシャフト３４にはヘッドカートリッジ３６が搭載可能となっている。ヘッドカートリッジ３６は記録ヘッド３８及び４０を具備しており、インクカートリッジ４２がセットされるように構成されている。ヘッドカートリッジ３６がキャリッジシャフト３４に沿って主走査方向に搬送される間に、記録ヘッド３８及び４０から記録媒体３２に向かってインク（不図示）が吐出される。そして、記録媒体３２が搬送手段（不図示）により副走査方向に搬送されることによって、記録媒体３２に画像が記録される。
【実施例】
【００５９】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００６０】
＜色材の合成＞
（化合物Ａ）
特許文献１の記載を参考にして、遊離酸型として下記の構造式（１）で表される化合物を合成した。その後、常法にしたがってイオン交換を行い、ナトリウム塩型の化合物（この化合物を「化合物Ａ」と記載する）を得た。
【００６１】
2016204448.tif 000007
【００６２】
（化合物Ｂ）
特許文献１の記載を参考にして、遊離酸型として下記の構造式（２）で表される化合物を合成した。その後、常法にしたがってイオン交換を行い、ナトリウム塩型の化合物（この化合物を「化合物Ｂ」と記載する）を得た。
【００６３】
2016204448.tif 000008
【００６４】
（化合物Ｃ）
特許文献１の記載を参考にして、遊離酸型として下記の構造式（３）で表される化合物を合成した。その後、常法にしたがってイオン交換を行い、ナトリウム塩型の化合物（この化合物を「化合物Ｃ」と記載する）を得た。
【００６５】
2016204448.tif 000009
【００６６】
（化合物Ｄ）
特許文献２の記載を参考にして、遊離酸型として下記の構造式（４）で表される化合物を合成した。その後、常法にしたがってイオン交換を行い、ナトリウム塩型の化合物（この化合物を「化合物Ｄ」と記載する）を得た。
【００６７】
2016204448.tif 000010
【００６８】
＜インクの調製＞
表１に示す各成分（単位：％）を混合し、十分に撹拌した後、ポアサイズ０．２０μｍのフィルターで加圧ろ過して各インクを調製した。なお、表１中の「ＮＩＫＫＯＬ  ＢＣ−７」、「ＮＩＫＫＯＬ  ＢＣ−１０」、「ＮＩＫＫＯＬ  ＢＬ−９ＥＸ」、及び「ＮＩＫＫＯＬ  ＢＣ−２０」は、いずれも日光ケミカルズ製のノニオン性界面活性剤の商品名である。「ＮＩＫＫＯＬ  ＢＣ−７」は、ＨＬＢ値が１１．２のポリオキシエチレンセチルエーテル（アルキル基の炭素数：１６、エチレンオキサイド基の数：７）である。「ＮＩＫＫＯＬ  ＢＣ−１０」は、ＨＬＢ値が１２．９のポリオキシエチレンセチルエーテル（アルキル基の炭素数：１６、エチレンオキサイド基の数：１０）である。「ＮＩＫＫＯＬ  ＢＬ−９ＥＸ」は、ＨＬＢ値が１３．６のポリオキシエチレンラウリルエーテル（アルキル基の炭素数：１２、エチレンオキサイド基の数：９）である。「ＮＩＫＫＯＬ  ＢＣ−２０」は、ＨＬＢ値が１５．７のポリオキシエチレンセチルエーテル（アルキル基の炭素数：１６、エチレンオキサイド基の数：２０）である。
また、「アセチレノールＥ１００」（川研ファインケミカル製）及び「サーフィノール１０４」（日信化学製）は、アセチレングリコールのエチレンオキサイド付加物（界面活性剤）の商品名である。界面活性剤の括弧内の数値はグリフィン法によるＨＬＢ値である。
【００６９】
2016204448.tif 000011
【００７０】
2016204448.tif 000012
【００７１】
＜評価＞
上記で得られた各インクをそれぞれインクカートリッジに充填し、熱エネルギーの作用により記録ヘッドからインクを吐出するインクジェット記録装置（商品名「ＰＩＸＵＳ  ｉＰ８６００」、キヤノン製）に搭載した。本実施例においては、１／２４００インチ×１／１２００インチの単位領域に２．５ｐＬのインクを付与して記録したベタ画像を「記録デューティが１００％である」と定義する。光学濃度及び耐オゾン性の評価の際には、分光光度計（商品名「Ｓｐｅｃｔｒｏｌｉｎｏ」、Ｇｒｅｔａｇ  Ｍａｃｂｅｔｈ製）を用いて、光源：Ｄ５０、視野：２°の条件で光学濃度を測定した。本発明においては、下記の各項目の評価基準で、「Ｃ」を許容できないレベル、「ＡＡ」、「Ａ」、及び「Ｂ」を許容できるレベルとした。評価結果を表２に示す。
【００７２】
（光学濃度）
上記のインクジェット記録装置を用いて、温度２３℃、相対湿度５５％の環境で、記録媒体（普通紙、商品名「ＰＢ  ＰＡＰＥＲ」、キヤノン製）に、記録デューティが１００％であるベタ画像を記録した。得られた記録物におけるベタ画像の光学濃度を測定した。得られた光学濃度の値から、以下に示す評価基準にしたがって光学濃度を評価した。
Ａ：光学濃度が１．３０以上であった。
Ｂ：光学濃度が１．１５以上１．３０未満であった。
Ｃ：光学濃度が１．１５未満であった。
【００７３】
（耐オゾン性）
上記のインクジェット記録装置を用いて、温度２３℃、相対湿度５５％の環境で、記録媒体（光沢紙、商品名「キヤノン写真用紙・光沢  ゴールド」、キヤノン製）に、記録デューティが５０％であるベタ画像を記録した。得られた記録物におけるベタ画像の光学濃度を測定した（耐オゾン性試験前の光学濃度）。この記録物をオゾン試験装置（商品名「ＯＭＳ−Ｈ」、スガ試験機製）中に載置し、槽内温度２３℃、相対湿度５０％、オゾンガス濃度１０ｐｐｍで２４時間、オゾン曝露を行った。その後、記録物におけるベタ画像の光学濃度を測定した（耐オゾン性試験後の光学濃度）。得られた耐オゾン性試験前の光学濃度及び耐オゾン性試験後の光学濃度の値から、光学濃度の残存率＝耐オゾン性試験後の光学濃度／耐オゾン性試験前の光学濃度×１００％を算出し、以下に示す評価基準にしたがって耐オゾン性を評価した。なお、光学濃度の残存率は、上記分光光度計を用いて測定される、ブラック成分について算出した値を評価に用いた。
Ａ：光学濃度の残存率が６０％以上であった。
Ｃ：光学濃度の残存率が６０％未満であった。
【００７４】
（吐出安定性）
各インクを温度８０℃恒温槽内で３３６時間保存した。その後、インクをインクカートリッジに充填し、上記のインクジェット記録装置のヘッドカートリッジに搭載した。温度２３℃、相対湿度５５％の環境で、記録媒体（普通紙、商品名「ＰＢ  ＰＡＰＥＲ」、キヤノン製）に、記録デューティが１００％及び５０％であるＡ４サイズのベタ画像を任意の枚数連続で記録した。得られた画像を以下に示す評価基準にしたがって目視で評価した。
ＡＡ：１００％デューティで記録しても不吐出がなかった。
Ａ：１００％デューティで記録した際に僅かな不吐出が確認された。
Ｂ：１００％デューティで記録した際に不吐出が確認されたが、５０％デューティでは不吐出がなかった。
Ｃ：５０％デューティで記録した際に顕著な不吐出が確認された。
【００７５】
2016204448.tif 000013
【図１】
2016204448.tif 000017
【図２】
2016204448.tif 000018